(57)【特許請求の範囲】
【請求項１】
杭基礎の杭頭部に免震装置が配置されて、該免震装置の上フランジの上面に建築物の上部構造が構築される建築物の免震構造において、
前記免震装置の外周部には、各杭基礎毎に杭頭部が露出する深さで、人的点検が可能な程度の幅を有するように壺堀りされたピットが設けられ、
前記ピットの底部が捨てコンクリートまたは土間コンクリートにより施工されているとともに、側壁部が吹き付けコンクリートにより施工されていることを特徴とする建築物の免震構造。
【請求項２】
請求項１記載の建築物の免震構造において、
前記建築物の地下外周部に設けられる水平可動空間が、該建築物の外周面より水平方向に突き出すように設けられる犬走りを形成する水平スラブに覆われるとともに、前記建築物の領域を囲うように設けられる山止め壁を地下外壁として利用し、該山止め壁の内周面に沿って設けられていることを特徴とする建築物の免震構造。
【発明の詳細な説明】
【０００１】
【発明の属する技術分野】
本発明は、低コストで施工性が良く、メンテナンスが容易な耐震性能に優れた建築物の免震構造に関する。
【０００２】
【従来の技術】
従来、建築物の免震構造は、図４に示すように、建築物１の下部全面にわたりピット状の免震層１９を設け、免震装置８のメンテナンスを行う人間が、この免震層１９の内部を容易に移動できるようにしていた。
【０００３】
【発明が解決しようとする課題】
しかし、このような建築物１の下部全面にわたりピット状の免震層１９を設ける構造では、該免震層１９の下部にスラブや基礎梁を追加することとなり、地盤面１７が深くなるとともに、コストアップ要因となっていた。
【０００４】
上記事情に鑑み、本発明は、低コストで施工性が良く、メンテナンスが容易な耐震性能に優れた建築物の免震構造を提供することを目的としている。
【０００５】
【課題を解決するための手段】
請求項１記載の建築物の免震構造は、杭基礎の杭頭部に免震装置が配置されて、該免震装置の上フランジの上面に建築物の上部構造が構築される建築物の免震構造において、前記免震装置の外周部には、各杭基礎毎に杭頭部が露出する深さで、人的点検が可能な程度の幅を有するように壺堀りされたピットが設けられ、前記ピットの底部が捨てコンクリートまたは土間コンクリートにより施工されているとともに、側壁部が吹き付けコンクリートにより施工されていることを特徴としている。
【０００７】
請求項２記載の建築物の免震構造は、前記建築物の地下外周部に設けられる水平可動空間が、該建築物の外周面より水平方向に突き出すように設けられる犬走りを形成する水平スラブに覆われるとともに、前記建築物の領域を囲うように設けられる山止め壁を地下外壁として利用し、該山止め壁の内周面に沿って設けられていることを特徴としている。
【００１１】
【発明の実施の形態】
以下、本発明に係る建築物の免震構造について図１から図３を用いて詳述する。本実施の形態の建築物の免震構造は、建築物を支持する杭頭部の周囲に各々個別のピットが設けられて、該ピットを免震装置の点検スペースとして用いる構造である。
【００１２】
図１（ａ）に示すように、山止め壁２により囲われた建築物１が構築される領域には、柱脚部が埋設できる程度の所定深さまで地盤が掘削されて、その地盤面１７には捨てコンクリート６が打設されているとともに、ある一定の間隔を持ってさらに壺掘りによって掘削形成された複数のピット４が設けられている。該ピット４ののり面は、吹付けコンクリート５により表面が処理されているとともに、底部の中央には杭頭部を露出した状態で前記杭基礎３が配置され、その周囲には土間コンクリート７が打設されている。図２に示すように、該ピット４は、後に前記杭基礎３の頭部に設けられる免震装置８のメンテナンス作業を行うために設けられるものであり、その広さは、作業員一人が作業できる程度の大きさを有している。
【００１３】
このように、一定の間隔に設けられた複数のピット４内に配置された前記杭基礎３は、地中梁等により連結されることなく、個々に独立した状態で配置されて、その杭頭部に前記免震装置８が載置されている。地中梁により連結されない前記杭基礎３は、最大で杭頭ピン時の回転角が前記免震装置８に生じることとなるが、大規模な液状化現象が起こらない限り、どのような地盤においても杭頭ピン時の回転角が1/100以下に抑えられることが解析的に確認されている。
【００１４】
一方で、免震装置８として一般に用いられる積層ゴムは、上下フランジ面が1/100程度傾斜しても履歴性能に影響を及ぼさないことが知られている。したがって、本実施の形態において、免震装置８には積層ゴムを用いている。
なお、該免震装置８は積層ゴムにこだわるものではなく、上下フランジ面が1/100程度傾斜しても履歴性能に影響を及ぼさない免震装置８であれば何れを用いても良い。
【００１５】
該免震装置８の上面には、柱脚部にフーチング９が設けられた柱１０が立設されている。隣り合う該柱１０どうしは、繋梁１１により連結されており、これらを用いて、建築物１の上部構造が構築される。
ところで、該建築物１は、地震時において前記免震装置８により水平方向に大きく変位することとなるため、図１に示すように、前記繋梁１１と、該繋梁１１の下面とほど近い前記地盤面１７に設けられた捨てコンクリート６とは絶縁される必要がある。
【００１６】
このため、図１（ｂ）に示すように、前記捨てコンクリート６の直上に位置する繋梁１１を構築する場合には、底面に生分解性プラスチックを用いた下型枠１８をあらかじめ作成しておき、繋梁１１を設けたい所望位置の捨てコンクリート６上に前記下型枠１８を載置し、該型枠１８を用いて繋梁１１のコンクリート打設を行う。これにより、数ヶ月の時間の後に下型枠１８が水蒸気と二酸化炭素に分解して消滅するため、下型枠１８の取り外し作業を行うことなく、繋梁１１と地盤面１７に設けられた捨てコンクリート６とを絶縁させることができる。
【００１７】
一方、前記建築物１は、図１（ａ）に示すように、前記山止め壁２との間に一定の隙間を設けて構築される。この隙間は、地震等の発生時に免震装置８により水平方向に挙動する前記建築物１が前記山止め壁２と衝突することを防ぐために設けられた水平可動空間１２である。
【００１８】
該水平可動空間１２は、雨ざらしとならないよう建築物１における外周面全体の外方に突出するように設けられた張出スラブから構成される犬走り１３によりその上方を覆われている。つまり、水平可動空間１２は、前記建築物１の外周面と、前記山止め壁２の内周面と、前記犬走り１３とにより囲われた、前記建築物１の外周部全面に形成された空間となる。
なお、犬走り１３に代わりに建築物１の外周柱と外壁面との間に片持ちスラブを設けてもよい。
【００１９】
また、図１（ａ）及び図３に示すように、前記建築物１の最下階で前記柱１０近傍の前記ピット４の上方に位置する床１５には、ハッチ１４が設けられている。該ハッチ１４は、作業員が前記免震装置８のメンテナンスを行うために、前記ピット４に出入りするための通用口であり、該ハッチ１４を開くと、前記ピット４に降りるためのはしご１６が設けられている。
【００２０】
上述する構成によれば、前記杭基礎３の外周部に各々ピット４を設けることにより、杭頭部に設けられた前記免震装置８の人的点検を可能にしたため、従来の免震構造で用いられたような免震層１９の全体にピットを設ける構造と比較して、地盤の掘削量を減らし、地盤面１７を高くすることが可能となり、掘削土の大量排出を防ぐことが可能になるとともに、工期短縮、及び作業コストを大幅に低減することが可能となる。
【００２１】
前記杭３の杭頭部外周部に設けられたピット４は、底面を土間コンクリート７、のり面を吹き付けコンクリート５により施工されていることから、施工が容易で作業効率がよいとともに、配筋作業を合理化することができコストを大幅に低減することが可能となる。
【００２２】
前記建築物１の水平可動空間１２は、山止め壁２を地下外壁としてそのまま使用するため、地下外壁として改めてＲＣ壁を設けていた従来の免震構造と比較して、作業工程を減らすことが可能になるとともに、コストを大幅に削減することが可能となる。なお、必要に応じて山止め壁２の内側に吹き付けコンクリートやＲＣ壁を設けることもできる。
【００２３】
前記建築物１の最下階の床面１５にハッチ１４を設けて、該ハッチ１４から各杭基礎３の外周部に設けられたピット４へ出入りできることから、免震層全体にピット層を設ける必要がなく、施工工程が大幅に短縮されるとともに、コストを大幅に削減することが可能となる。
【００２４】
【発明の効果】
請求項１記載の建築物の免震構造によれば、杭基礎の杭頭部に免震装置が配置されて、該免震装置の上フランジの上面に建築物の上部構造が構築される建築物の免震構造において、前記免震装置の外周部には、各杭基礎毎に杭頭部が露出する深さで、人的点検が可能な程度の幅を有するように壺堀りされたピットが設けられていることから、掘削土の大量排出を防ぐことが可能になるとともに、工期短縮、及び作業コストを大幅に低減することが可能となる。
【００２５】
また、前記ピットの底部が捨てコンクリートまたは土間コンクリートにより施工されているとともに、側壁部が吹き付けコンクリートにより施工されていることから、施工が容易で作業効率がよいとともに、配筋作業を合理化することができコストを大幅に低減することが可能となる。
【００２６】
請求項２記載の建築物の免震構造によれば、前記建築物の地下外周部に設けられる水平可動空間が、該建築物の外周面より水平方向に突き出すように設けられる犬走りを形成する水平スラブに覆われるとともに、前記建築物の領域を囲うように設けられる山止め壁を地下外壁として利用し、該山止め壁の内周面に沿って設けられていることから、地下外壁として改めてＲＣ壁を設けていた従来の免震構造と比較して、作業工程を減らすことが可能になるとともに、コストを大幅に削減することが可能となる。
【図面の簡単な説明】
【図１】  本発明に係る建築物の免震構造の詳細を示す図である。
【図２】  本発明に係る建築物の免震構造におけるピットの詳細を示す図である。
【図３】  本発明に係る建築物の最下階の床面を示す図である。
【図４】  従来の建築物の免震構造の概略を示す図である。
【符号の説明】
１  建築物
２  山止め壁
３  杭基礎
４  ピット
５  吹き付けコンクリート
６  捨てコンクリート
７  土間コンクリート
８  免震装置
９  フーチング
１０  柱
１１  繋梁
１２  水平可動空間
１３  犬走り
１４  ハッチ
１５  床面
１６  はしご
１７  地盤面
１８  型枠
１９  免震層
【図１】
0003820517.tif 000002
【図２】
0003820517.tif 000003
【図３】
0003820517.tif 000004
【図４】
0003820517.tif 000005